(57)【要約】【課題】二重床では防音性能の悪化や床鳴り、さらには吸脱湿による床部材の膨張収縮による不具合の発生があった。【解決手段】突き付けられているフローリング材と開口部下部横材との隙間が隙間隠し部材で覆われた構造の防音二重床において、フローリング材に面した開口部下部横材に切り込み部を有し、その切り込み部に隙間隠し部材の固定部が挿入固定された防音二重床である。また、隙間隠し部材の固定部外周部および開口部下部横材の切り込み部内周部の少なくとも一方に凹凸を有す防音二重床である。さらに、フローリング材に面した開口部下部横材の切り込み部の角度が水平を基準として６０度以下である特徴を有す。【選択図】  なし【特許請求の範囲】
【請求項１】
突き付けられているフローリング材と開口部下部横材との隙間が隙間隠し部材で覆われた構造の防音二重床において、フローリング材に面した開口部下部横材に切り込み部を有し、その切り込み部に隙間隠し部材の固定部が挿入固定されたことを特徴とする防音二重床。
【請求項２】
隙間隠し部材の固定部外周部および開口部下部横材の切り込み部内周部の少なくとも一方に凹凸部を有すことを特徴とする請求項１に記載の防音二重床。
【請求項３】
フローリング材に面した開口部下部横材の切り込み部の角度が水平を基準として６０度以下であることを特徴とする請求項１又は請求項２に記載の防音二重床。
【発明の詳細な説明】
【０００１】
【発明の属する技術分野】
本発明は、集合住宅や戸建て住宅用の二重床、特に防音性の高い二重床に関する。
【０００２】
【従来の技術】
集合住宅では、階上の住人が発生する音にその階下の住人が悩まされるといった音起因の問題が多発する傾向にある。また、戸建ての住宅においても、例えば２階の物音が気になるなど、同様の問題が発生している。この問題を解決するため、住宅としての防音性が見直され、種々の工夫がなされている。
【０００３】
防音二重床もその一つであり、支持構造からの見直しもなされている。例えば、従来は敷居、掃き出し窓下端部材、上がり框などの開口部下部横材にフローリング材を突き付ける際は開口部下部横材とフローリング材との隙間を設けずに接触させていた。そのため、防音性能の低下や歩行による床の沈み込み時に床鳴りなどの問題が発生している。また、脱湿により床部材が収縮した場合は開口部下部横材とフローリング材の突き付け部に隙間が生じ、吸湿により床部材が膨張した場合は床面の波打ちなどの外観を損ねる問題が生じた。
【０００４】
これらの改善のために、開口部下部横材とフローリング材の突き付け部に隙間を設け、開口部下部横材と隙間隠し部材と一体化した防音二重床が開示されている（例えば、特許文献１参照）。また、改良した根太部材を用いて根太と壁コンクリートスラブの間に隙間を設ける方法が開示されている（例えば、特許文献２参照）。さらには、根太と床材との間に緩衝材を設ける方法が開示されている（例えば、特許文献３参照）。
【０００５】
【特許文献１】
特開２００１−２９５４５０号公報
【特許文献２】
特開２０００−１９９３２８号公報
【特許文献３】
特開２００１−２４１１７９号公報
【０００６】
【発明が解決しようとする課題】
防音二重床を支持構造の面からも見直すことは可能であるが、建築物としての構造上から以下の問題、
▲１▼フローリング材と開口部下部横材との接触面における床の沈み込みによる床鳴りの発生
▲２▼フローリング材と開口部下部横材との接触による振動伝搬
▲３▼脱湿による開口部下部横材とフローリング材の突き付け部における隙間の発生
▲４▼吸湿による床面の波打ち状態の発生
があり、防音性を改善しながら構造を変えていくことは非常に難しい。
【０００７】
特開２００１−２９５４５０号公報で開示された床構造の場合、釘止での固定であるため、隙間隠し材の損傷や汚れなどの不具合のために隙間隠し部材を交換する必要が生じたとき、開口部下部横材の釘抜き作業が必要である。釘抜きのためにはフローリング材を剥がす作業も発生し、非常に繁雑となる。また、交換の頻度やその作業によっては開口部下部横材を損傷させ、開口部横材の交換も必要となる問題が発生する。両面粘着テープで固定する方法も提案されているが、両面粘着テープでは固定が十分ではなく、踏み込んだ際にずれる不具合が生じる。また、隙間隠し部材を交換する際、剥がれ難くなった粘着材が開口部下部横材側に残留し、新しい隙間隠し部材を挿入する場合の妨げとなる。さらに、隙間隠し部材の固定部とフローリング材の端部が接触して遮音性が悪化するのを防ぐため、フローリング材と開口部下部横材の隙間を大きくとると、局所的な負荷に弱くなるという問題もあった。
【０００８】
また、特開２０００−１９９３２８号公報で開示された方法の場合、フローリング材と開口部下部横材が接触しているため、振動伝搬による防音性能の低下や吸湿による床面波打ちなどの基本的な問題は解決していない。
【０００９】
さらには、特開２００１−２４１１７９号公報で開示された方法の場合、緩衝材の潰れによる床鳴り問題が発生している他、振動伝搬による防音性能の低下や吸湿による床面波打ちの問題も発生している。
【００１０】
【問題を解決するための手段】
上述の問題点を解決するために、鋭意検討した結果、本発明に至った。本発明は、突き付けられているフローリング材と開口部下部横材との隙間が隙間隠し部材で覆われた構造の防音二重床において、フローリング材に面した開口部下部横材に切り込み部を有し、その切り込み部に隙間隠し部材の固定部が挿入固定された防音二重床である。
【００１１】
また、隙間隠し部材の固定部外周部および開口部下部横材の切り込み部内周部の少なくとも一方に凹凸部を有す防音二重床である。
【００１２】
さらに、フローリング材に面した開口部下部横材の切り込み部の角度が水平を基準として６０度以下である防音二重床である。
【００１３】
【発明の実施形態】
本発明は、図１に示すように、床基盤から連結した防振ゴム５、支持脚４、根太３、およびパーティクルボード２の上部に位置するフローリング材１と開口部下部横材６とが隙間Ｗ１の間隔で突きつけられ、その隙間を隙間隠し部材７で覆われた構造の防音二重床において、フローリング材１に面した開口部下部横材６に切り込み部８を有し、その切り込み部８に隙間隠し部材７の固定部９が挿入固定された防音二重床である。
【００１４】
また、隙間隠し部材７の固定部９の外周部および開口部下部横材６の切り込み部８の内周部の少なくとも一方に凹凸部を有す防音二重床である。この凹凸部を利用することにより、固定が十分になされる。すなわち、隙間隠し部材７の固定部９の外周部および開口部下部横材６の切り込み部８の内周部のどちらか一方、又はその両方に凹凸部を持たせることにより、基本的には接着剤を必要としない構造とすることができる。この凹凸加工は溝形状が主体となるが、ねじ状形状でも良いし、単なる噛み込み形状でも良い。また、開口部下部横材６を塩ビ、ＡＢＳ製などとし、例えば押し出し成型により切り込み部８および切り込み部の凹凸を同時に加工してもよい。また、隙間隠し部材固定部９の外周部および開口部下部横材６の切り込み部８の内周部では、その形状が異なっても良い。
【００１５】
さらに、フローリング材１に面した開口部下部横材６の切り込み部８の角度が水平を基準として６０度以下である防音二重床である。６０度を越えると、切り込みによりフローリング材に面した開口部下部横材６の側面厚さが薄くなるので、破損しやすく、隙間隠し部材を十分に固定できないという問題が発生する。開口部下部横材６はフローリング材１よりも高くなる場合があるが、この場合も切り込み角度は６０度以下であることが望ましい。
【００１６】
なお、隙間隠し部材７と開口部下部横材６の固定は接着剤を用いなくとも良いことを基本としているため、隙間隠し部材７が破損した際の交換は容易であり、開口部下部横材６の破損にも結びつかないので、フローリング材１を張り替える必要性もない。さらに、隙間隠し部材７の固定部９が開口部下部横材６に嵌合しているため、踏み込んだ際の隙間隠し部材７がずれることもない。また、隙間隠し部材７の固定部９の厚さを考慮して開口部下部横材６とフローリング材１との隙間Ｗ１を大きくする必要がないので、局所的な負荷に対しても強い。当然ながら、必要に応じ、接着剤の使用は可能である。
【００１７】
開口部下部横材６とフローリング材１を接触させないことで防音性能を向上させ、床鳴りの発生をなくすことができる。従来工法のように、開口部下部横材６とフローリング材１の間に隙間がないと、開口部下部横材６とフローリング材１との間で音の伝達があり、防音性は低くなる。さらに、フローリング材１の損傷や汚れなどにより、フローリング材１を交換する場合でも、隙間隠し部材７が簡単に取り外せるので、その交換も容易となる。
【００１８】
【実施例】
以下、実施例に基づき、述べる。
（実施例１）
床基盤から連結した防振ゴム、支持脚、根太を支えとしてパーティクルボードを施工した。厚さ１２ｍｍのフローリング材はタッカーを用いてパーティクルボードに固定した。開口部下部横材とフローリング材との間に隙間を設け、その隙間を隠す目的で凹凸部を有す隙間隠し部材を用いた。この隙間隠し部材の固定部以外の部分は熱可塑性エラストマー製であり、長さ８ｍｍ、最大厚さは２ｍｍである。また、その固定部はＡＢＳ製で、長さ１５ｍｍ、３ｍｍのピッチで凹凸加工が施こされており、凸部の厚さは３ｍｍである。フローリング材に面した側の開口部下部横材には斜め５５度の角度で深さ１６ｍｍ、厚さ２．８ｍｍの切り込みがある。この開口部下部横材の切り込みを利用して隙間隠し部材固定部を挿入、嵌合することで隙間隠し部材を固定した。接着剤は使わなかった。
【００１９】
得られた二重床についてＪＩＳ  Ａ  １４１８−１に基づいて床衝撃音遮断性能試験（軽量衝撃音の遮断性能）を実施したところ、２５０Ｈｚにおいてスラブ素面値よりも１６ｄＢの改善がみられ、且つ、床鳴りなどの異音も発生しなかった。また、隙間隠し部材に局所的な荷重を加えたが、問題は発生しなかった。
【００２０】
（実施例２）
図２に示すように、床基盤から連結した防振ゴム５、支持脚４、根太３を支えとしてパーティクルボード２を施工した。厚さ１２ｍｍのフローリング材１は、タッカーを用いてパーティクルボードに固定した。開口部下部横材６とフローリング材１との間に隙間を設け、その隙間を隠すために凹凸のある隙間隠し部材７を用いた。この隙間隠し部材の固定部以外の部分は熱可塑性エラストマー製であり、長さ８ｍｍ、最大厚さは２ｍｍである。また、その固定部はＡＢＳ製で、長さ１５ｍｍ、３ｍｍのピッチで凹凸加工が施こされており、凸部の厚さは３ｍｍである。フローリング材側の開口部下部横材６には水平に深さ１６ｍｍ、厚さ２．８ｍｍの切り込みがある。この開口部下部横材６の切り込み８を利用して隙間隠し部材７の固定部９を挿入、嵌合することで隙間隠し部材７を固定した。接着剤は使わなかった。
【００２１】
得られた二重床についてＪＩＳ  Ａ  １４１８−１に基づいて床衝撃音遮断性能試験（軽量衝撃音の遮断性能）を実施したところ、２５０Ｈｚにおいてスラブ素面値よりも１６ｄＢの改善がみられ、且つ、床鳴りなどの異音も発生しなかった。また、隙間隠し部材に局所的な荷重を加えたが、問題は発生しなかった。
【００２２】
（実施例３）
床基盤から連結した防振ゴム、支持脚、根太を支えとしてパーティクルボードを施工した。厚さ１６ｍｍのフローリング材はタッカーを用いてパーティクルボードに固定した。開口部下部横材とフローリング材との間に隙間を設け、その隙間を隠すために凹凸のある隙間隠し部材を用いた。この隙間隠し部材の固定部以外の部分は熱可塑性エラストマー製であり、長さ８ｍｍ、最大厚さは２ｍｍである。また、その固定部はＡＢＳ製で、長さ１５ｍｍ、３ｍｍのピッチで凹凸加工が施こされており、凸部の厚さは３ｍｍである。ＡＢＳ製の開口部下部横材にはフローリング材側に斜め３０度の角度で深さ１６ｍｍ、最大厚さ２．８ｍｍの切り込みが押し出し成型時に設けられており、深さ方向に３ｍｍのピッチで凹凸がある。この開口部下部横材の切り込みを利用して隙間隠し部材固定部を挿入、嵌合することで隙間隠し部材を固定した。接着剤は使わなかった。
【００２３】
得られた二重床についてＪＩＳ  Ａ  １４１８−１に基づいて床衝撃音遮断性能試験（軽量衝撃音の遮断性能）を実施したところ、２５０Ｈｚにおいてスラブ素面値よりも１６ｄＢの改善がみられ、且つ、床鳴りなどの異音も発生しなかった。また、隙間隠し部材に局所的な荷重を加えたが、問題は発生しなかった。
【００２４】
（比較例１）
図３に示すように、床基盤から連結した防振ゴム５、支持脚４、根太３を支えとしてパーティクルボード２を施工した。厚さ１２ｍｍのフローリング材１は、タッカーを用いてパーティクルボードに固定した。開口部下部横材６とフローリング材１との間に隙間を設け、その隙間を隠すために隙間隠し部材７を用いた。この隙間隠し部材７の固定部９以外の部分は熱可塑性エラストマー製であり、長さ８ｍｍ、最大厚さは２ｍｍである。また、その固定部９はＡＢＳ製で、長さ１５ｍｍ、厚さ３ｍｍである。フローリング材１に面した開口部下部横材６の側面と隙間隠し部材７を１４ｍｍ幅の両面粘着テープ１０で固定した。
【００２５】
得られた二重床についてＪＩＳ  Ａ  １４１８−１に基づいて床衝撃音遮断性能試験（軽量衝撃音の遮断性能）を実施したところ、２５０Ｈｚにおいてスラブ素面値よりも１６ｄＢの改善がみられ、且つ、床鳴りなどの異音も発生しなかった。しかし、隙間隠し部材に局所的な荷重を加えたところ、隙間隠し部材がずれて隙間に入り込み外観上問題となった。
【００２６】
（比較例２）
床基盤から連結した防振ゴム、支持脚、根太を支えとしてパーティクルボードを施工した。厚さ１２ｍｍのフローリング材はタッカーを用いてパーティクルボードに固定した。開口部下部横材とフローリング材との間に隙間を設け、その隙間を隠すために凹凸のある隙間隠し部材を用いた。この隙間隠し部材の固定部以外の部分は熱可塑性エラストマー製であり、長さ８ｍｍ、最大厚さは２ｍｍである。また、その固定部はＡＢＳ製で、長さ１５ｍｍ、３ｍｍのピッチで凹凸加工が施こされており、凸部の厚さは３ｍｍである。フローリング材に面した開口部下部横材６には斜め６５度に深さ１６ｍｍ、厚さ２．８ｍｍの切り込み部８を設けている。この開口部下部横材の切り込みを利用して隙間隠し部材固定部を挿入、嵌合することで隙間隠し部材の固定を試みた。接着剤は使わなかった。
【００２７】
得られた二重床についてＪＩＳ  Ａ  １４１８−１に基づいて床衝撃音遮断性能試験（軽量衝撃音の遮断性能）を実施したところ、２５０Ｈｚにおいてスラブ素面値よりも１６ｄＢの改善がみられ、且つ、床鳴りなどの異音も発生しなかった。しかし、隙間隠し部材に局所的な負荷を加え続けたところ、フローリング材に面した開口部下部横材にクラックが発生し、最終的には破損した。
【００２８】
（比較例３）
図４に示すように、床基盤から連結した防振ゴム５、支持脚４、根太３を支えとしてパーティクルボード２を施工した。厚さ１２ｍｍのフローリング材１はタッカーを用いてパーティクルボードに固定した。開口部下部横材６とフローリング材１との間には隙間を設けなかった。
【００２９】
得られた二重床についてＪＩＳ  Ａ  １４１８−１に基づいて床衝撃音遮断性能試験（軽量衝撃音の遮断性能）を実施したところ、２５０Ｈｚにおいてスラブ素面値からの改善が１２ｄＢしかなく防音性能に問題があった。且つ、床鳴りなどの異音も発生した。
【００３０】
【発明の効果】
本発明の防音二重床によれば、防音性能の向上及び床鳴りの防止、吸脱湿による床部材の膨張収縮による不具合の発生防止の効果があり、隙間隠し部材の交換も簡略化できる。
【図面の簡単な説明】
【図１】本発明の隙間隠し材と防音二重床構造を示す概念図である。
【図２】実施例２に示す本発明の防音二重床の側面図である。
【図３】比較例１に示す両面粘着テープ利用による従来工法の防音二重床の側面図である。
【図４】比較例３に示す開口部下部横材とフローリング材とを接触させた従来工法の側面図である。
【符号の説明】
１    フローリング材
２    パーティクルボード
３    根太
４    支持脚
５    防振ゴム
６    開口部下部横材
７    隙間隠し部材
８    開口部下部横材の切り込み部
９    隙間隠し部材の固定部
１０    両面粘着テープ
Ｗ１    フローリング材と開口部下部横材との隙間
【図１】
2004218362.tif 000002
【図２】
2004218362.tif 000003
【図３】
2004218362.tif 000004
【図４】
2004218362.tif 000005